(57)【要約】【課題】  任意の時点において１つのリモコンしか使えないという問題を解決したリモコン制御装置を提供する。【解決手段】  複数種類のリモートコントロール装置により操作可能なリモコン制御装置において、前記複数種類のリモートコントロール装置からの制御信号を受信する受信部と、前記受信部で受信された前記制御信号を処理する複数系統の信号処理部とを備え、前記複数系統の信号処理部の各々は前記複数種類のリモートコントロール装置の内特定の種類のリモートコントロール装置からの制御信号を処理して出力することを特徴とするリモコン制御装置。【選択図】      図３
2006318131.tif 000002
【特許請求の範囲】
【請求項１】
複数種類のリモートコントロール装置により操作可能なリモコン制御装置において、
前記複数種類のリモートコントロール装置からの制御信号を受信する受信部と、
前記受信部で受信された前記制御信号を処理する複数系統の信号処理部とを備え、
前記複数系統の信号処理部の各々は前記複数種類のリモートコントロール装置の内特定の
種類のリモートコントロール装置からの制御信号を処理して出力することを特徴とするリ
モコン制御装置。
【請求項２】
前記複数系統の信号処理部の内、少なくとも一系統の信号処理部はマイコンとＢＩＯＳ
とから成り、
前記マイコンが前記複数種類のリモートコントロール装置からの信号を前記ＢＩＯＳへ通
知するコードへ変換することを特徴とする請求項１に記載のリモコン制御装置。
【請求項３】
前記信号処理部は前記リモコン制御装置の主電源が非投入時にも給電され動作状態にあ
るものであって、
前記リモコン制御装置はシステムＯＳを複数搭載し、
前記信号処理部は前記リモコン制御装置の主電源が非投入時に前記複数種類のリモートコ
ントロール装置からの制御信号に基づいて特定の前記システムＯＳを起動させ、
前記システムＯＳは前記ＢＩＯＳへ通知されたコードの処理を行うことを特徴とする請求
項２に記載のリモコン制御装置。
【請求項４】
複数種類のリモートコントロール装置により操作可能なリモコン制御装置において、
前記複数種類のリモートコントロール装置からの制御信号を受信する受信部と、
前記受信部で受信された前記制御信号を処理する信号処理部とを備え、
前記信号処理部は前記複数種類のリモートコントロール装置からの信号をリモコン制御装
置のオリジナルコードに変換して出力することを特徴とするリモコン制御装置。
【請求項５】
前記信号処理部はマイコンとＢＩＯＳとから成り、
前記マイコンが前記複数種類のリモートコントロール装置からの信号を前記ＢＩＯＳへ通
知するコードへ変換することを特徴とする請求項４に記載のリモコン制御装置。
【請求項６】
前記信号処理部は前記リモコン制御装置の主電源が非投入時にも給電され動作状態にあ
るものであって、
前記リモコン制御装置はシステムＯＳを複数搭載し、
前記信号処理部は前記リモコン制御装置の主電源が非投入時に前記複数種類のリモートコ
ントロール装置からの制御信号に基づいて特定の前記システムＯＳを起動させ、
前記システムＯＳは前記ＢＩＯＳへ通知されたコードの処理を行うことを特徴とする請求
項５に記載のリモコン制御装置。
【発明の詳細な説明】
【技術分野】
【０００１】
本発明は、リモコン制御装置に係り、特に、複数種類のリモートコントロール装置を用
いるリモコン制御装置に関する。
【背景技術】
【０００２】
パーソナルコンピュータではリモートコントロール装置としてＭＣＥリモコンが使われ
ている。Windows(登録商標、以下同様)ＭＣＥはWindowsＸＰをホームエンターテインメント用に機能拡張したＯＳであり、マウスやキーボードだけでなく、リモコン入力にも標準で対応するＯＳである。
このリモコン入力のためのリモートコントロール装置がＭＣＥリモコンである。他方、パーソナルコンピュータのメーカが指定するリモコンも使用することがある。一般にＭＣＥリモコンは小さくて持ち易く、メーカ指定のリモコンはＭＣＥリモコンより多くの操作用のボタンを有し多機能となっている。
【０００３】
このような複数種類のリモートコントロール装置（以下リモコン）を使用することに関
し、例えば特許第ＷＯ９９／４９６５２号公報（特許文献１）によるものは、複数種類の
リモコンのいずれか１つによりリモコン制御の対象機器が操作されるように機器本体のモ
ードを切り替える方法であった。例えばメーカＡのリモコンのみによって操作が可能であ
るというモードにするために、メーカＡのリモコンまたは特定のリモコンによってモード
設定操作を行う必要があった。
【０００４】
即ち、文献１によるものは任意の時点において１つのリモコンしか使えいという問題が
あり、また、別のリモコンに替えて使うためにはリモコンモードの設定変更が必要という
問題があった。
【特許文献１】国際公開第９９／４９６５２号公報（第７頁）
【発明の開示】
【発明が解決しようとする課題】
【０００５】
本発明は、任意の時点において１つのリモコンしか使えないという問題を解決したリモ
コン制御装置を提供することを目的とする。
【課題を解決するための手段】
【０００６】
上記課題を解決するために、本発明のリモコン制御装置は、複数種類のリモートコント
ロール装置により操作可能なリモコン制御装置において、前記複数種類のリモートコント
ロール装置からの制御信号を受信する受信部と、前記受信部で受信された前記制御信号を
処理する複数系統の信号処理部とを備え、前記複数系統の信号処理部の各々は前記複数種
類のリモートコントロール装置の内特定の種類のリモートコントロール装置からの制御信
号を処理して出力することを特徴とする。
【発明の効果】
【０００７】
本発明によれば、任意の時点において複数種類のリモコンにより操作できるリモコン制
御装置が得られる。
【発明を実施するための最良の形態】
【０００８】
以下、本発明の実施例を説明する。
【実施例１】
【０００９】
本発明によるリモコン制御装置の実施例１を図１乃至図４を参照して説明する。
図１はリモコン制御装置の例としてノートブック型パーソナルコンピュータ１０のディ
スプレイユニットを開いた状態における斜視図である。即ち、このリモコン制御装置は、
ノートブック型パーソナルコンピュータ１０として実現されている。
【００１０】
本コンピュータ１０は、コンピュータ本体１１と、ディスプレイユニット１２とから構
成されている。ディスプレイユニット１２には、ＴＦＴ−ＬＣＤ（Thin Film Transistor
Liquid Crystal Display）１７から構成される表示装置が組み込まれている。
【００１１】
ディスプレイユニット１２は、コンピュータ本体１１に対して開放位置と閉塞位置との
間を回動自在に取り付けられている。コンピュータ本体１１は薄い箱形の筐体を有してお
り、その上面にはキーボード１３、本コンピュータ１を電源オン／オフするためのパワー
ボタン１４、入力操作パネル１５、およびタッチパッド１６などが配置されている。
【００１２】
入力操作パネル１５は、押されたボタンに対応するイベントを入力する入力装置であり
、複数の機能をそれぞれ起動するための複数のボタンを備えている。これらボタン群には
、ＴＶ起動ボタン１５Ａ、ＤＶＤ／ＣＤ起動ボタン１５Ｂも含まれている。ＴＶ起動ボタ
ン１５Ａは、ＴＶ放送番組データの再生及び記録を行うためのＴＶ機能を起動するための
ボタンである。ＴＶ起動ボタン１５Ａがユーザによって押下された時、ＴＶ機能を実行す
るためのＴＶアプリケーションプログラムが自動的に起動される。
【００１３】
本コンピュータにおいては、汎用の主オペレーティングシステムの他に、ＡＶ（オーデ
ィオ・ビデオ）データを処理するための専用の副オペレーティングシステムがインストー
ルされている。ＴＶアプリケーションプログラムは、副オペレーティングシステム上で動
作するプログラムである。
【００１４】
パワーボタン１４がユーザによって押下された時、主オペレーティングシステムが起動
される。一方、ＴＶ起動ボタン１５Ａがユーザによって押下された時は、主オペレーティ
ングシステムではなく、副オペレーティングシステムが起動され、そしてＴＶアプリケー
ションプログラムが自動的に実行される。副オペレーティングシステムはＡＶ機能を実行
するための最小限の機能のみを有している。このため、副オペレーティングシステムのブ
ートアップに要する時間は、主オペレーティングシステムのブートアップに要する時間に
比べて遙かに短い。よって、ユーザは、ＴＶ起動ボタン１５Ａを押すだけで、ＴＶ視聴／
録画を即座に行うことが出来る。
【００１５】
ＤＶＤ／ＣＤ起動ボタン１５Ｂは、ＤＶＤまたはＣＤに記録されたビデオコンテンツを
再生するためのボタンである。ＤＶＤ／ＣＤ起動ボタン１５Ｂがユーザによって押下され
た時、ビデオコンテンツを再生するためのビデオ再生アプリケーションプログラムが自動
的に起動される。このビデオ再生アプリケーションプログラムも、副オペレーティングシ
ステム上で動作するアプリケーションプログラムである。ＤＶＤ／ＣＤ起動ボタン１５Ｂ
がユーザによって押下された時は、主オペレーティングシステムではなく、副オペレーテ
ィングシステムが起動され、そしてビデオ再生アプリケーションプログラムが自動的に実
行される。
【００１６】
図２は、リモコン制御装置であるパーソナルコンピュータ１０の機能構成図である。
本コンピュータ１０は、図２に示されているように、ＣＰＵ１１１、ノースブリッジ１
１２、主メモリ１１３、グラフィクスコントローラ１１４、ＣＰＵ１１１とノースブリッ
ジ１１２と主メモリ１１３とから成るソフト処理部１１５、サウスブリッジ１１９、ＢＩ
ＯＳ−ＲＯＭ１２０、ハードディスク／光ディスクドライブ（ＨＤＤ／ＤＶＤ）１２１、
キャプチャーユニット１２２、およびエンベデッドコントローラ／キーボードコントロー
ラ（ＥＣ／ＫＢＣ）１２３等を備えている。
【００１７】
ＣＰＵ１１１は本コンピュータ１０の動作を制御するために設けられたプロセッサであ
り、ハードディスク／光ディスクドライブ（ＨＤＤ／ＤＶＤ）１２１から主メモリ１１３
にロードされる、主オペレーティングシステム／副オペレーティングシステム、および各
種アプリケーションプログラムを実行する。
【００１８】
アプリケーションプログラムには、映像データをキャプチャーユニット１２２によって
取り込む機能、代表として受信されたＴＶ放送番組データに含まれる映像データを高画質
化するための機能を有している。
【００１９】
また、ＣＰＵ１１１は、ＢＩＯＳ−ＲＯＭ１２０に格納されたシステムＢＩＯＳ（Basi
c Input Output System）も実行する。システムＢＩＯＳはハードウェア制御のためのプ
ログラムである。
【００２０】
ノースブリッジ１１２はＣＰＵ１１１のローカルバスとサウスブリッジ１１９との間を
接続するブリッジデバイスである。ノースブリッジ１１２には、主メモリ１１３をアクセ
ス制御するメモリコントローラも内蔵されている。また、ノースブリッジ１１２は、ＡＧ
Ｐ（Accelerated Graphics Port）バスなどを介してグラフィクスコントローラ１１４と
の通信を実行する機能も有している。
【００２１】
グラフィクスコントローラ１１４は本コンピュータ１０のディスプレイモニタとして使
用されるＬＣＤ１７を制御する表示コントローラである。このグラフィクスコントローラ
１１４はビデオメモリ（ＶＲＡＭ）１１４Ａに書き込まれた映像データからＬＣＤ１７に
送出すべき表示信号を生成する。
【００２２】
サウスブリッジ１１９は、ＬＰＣ（Low Pin Count）バス上の各デバイス、およびＰＣ
Ｉ（Peripheral Component Interconnect）バス上の各デバイスを制御する。また、サウ
スブリッジ１１９は、ＨＤＤ／ＯＤＤ１２１を制御するためのＩＤＥ（Integrated
【００２３】
Drive Electronics）コントローラを内蔵している。さらに、サウスブリッジ１１９は、
キャプチャーユニット１２２を制御する機能、およびＢＩＯＳ−ＲＯＭ１２０をアクセス
制御するための機能も有している。
【００２４】
ＨＤＤ／ＯＤＤ１２１は、各種ソフトウェア及びデータをハードディスクに格納する記
憶装置であり、またビデオコンテンツが格納されたＤＶＤ、ＣＤなどの記憶メディアを駆
動するためのドライブユニットである。キャプチャーユニット１２２は、ＴＶ放送番組の
ような放送番組データを外部から受信することを代表的な機能とする装置である。
【００２５】
エンベデッドコントローラ／キーボードコントローラ（ＥＣ／ＫＢＣ）１２３は、電力
管理のためのエンベデッドコントローラと、キーボード（ＫＢ）１３およびタッチパッド
１６を制御するためのキーボードコントローラとが集積された１チップマイクロコンピュ
ータである。このエンベデッドコントローラ／キーボードコントローラ（ＥＣ／ＫＢＣ）
１２３は、ユーザによるパワーボタン１４の操作に応じて本コンピュータ１０をパワーオ
ン／パワーオフする機能を有している。さらに、エンベデッドコントローラ／キーボード
コントローラ（ＥＣ／ＫＢＣ）１２３は、ユーザによるＴＶ起動ボタン１５Ａ、ＤＶＤ／
ＣＤ起動ボタン１５Ｂの操作に応じて、本コンピュータ１０をパワーオンすることもでき
る。
【００２６】
以上はコンピュータ１０の概要を中心とする説明であり、以下はコンピュータ１０にお
ける実施例を中心とする説明である。
図３は、図２に示したリモコン制御装置のリモコン制御に関わる部分の機能ブロック図
である。リモコンが赤外線で発信するリモコンコードが受光部１２４に入り電気信号に変
換されて受光ＩＣ１２５に入る。リモコンコードは受光ＩＣ１２５から、ＵＳＢ信号とし
てサウスブリッジ１１９へ、またＳＩＯ（シリアルＩ／Ｏ）信号としてエンベデッドコン
トローラ／キーボードコントローラ（以下、マイコン）１２３へと入る。サウスブリッジ
１１９はドライバ１２６を経由してシステムＯＳ１２７へと接続され、マイコン１２３は
ＢＩＯＳ１２０を経由してシステムＯＳ１２７へと接続されている。図３でＢＩＯＳ１２
０、ドライバ１２６、システムＯＳ１２７がソフトウェア処理であり、他の構成要素はハ
ードウェア主体の処理である。システムＯＳ１２７は先に主オペレーティングシステムと
述べたものである。システムＯＳ１２７はコンピュータ１０の本体にあり、WindowsＭＣ
Ｅ、WindowsＸＰ、Linux由来OSといった複数のシステムＯＳのいずれか１つが起動してい
る。受光部１２４と受光ＩＣ１２５とから単独の受信部が構成され、サウスブリッジ１１
９とドライバ１２６とからＵＳＢ信号処理部である第１系統の信号処理部が構成され、マ
イコン１２３とＢＩＯＳ１２０とからＳＩＯ信号処理部である第２系統の信号処理部が構
成されている。
【００２７】
図４は、コンピュータ１０の電源がＯＮの場合のリモコン制御装置の処理フローである
。リモコンコード受信ステップＳ１でリモコンコード受信が受光部１２４で行われると次
のＭＣＥコード受信判断ステップＳ２でＭＣＥコード受信を受光ＩＣ１２５が判断し、Ｍ
ＣＥコードが受信されたと判断された場合には次のマイコン、ＳＢコード出力ステップＳ
３へと進む。マイコン、ＳＢコード出力ステップＳ３では受光ＩＣ１２５が、マイコン１
２３にＳＩＯ信号でリモコンコードを出力し、サウスブリッジ１１９にＵＳＢ信号でリモ
コンコードを出力する。次のWindowsＭＣＥ起動中判断ステップＳ４では、WindowsＭＣＥ
が起動中であれば次のドライバリモコンコード受信ステップＳ５へと進む。ドライバリモ
コンコード受信ステップＳ５では、ドライバ１２６がサウスブリッジ１１９よりリモコン
コードを受信する。次にWindowsＭＣＥアプリ起動ステップＳ６ではリモコンコードの内
容、換言すればリモコンのどのボタンが押されたかによって対応するアプリケーションを
システムＯＳが起動する。終了ステップＳ７は一連の処理の終了を表すものである。
【００２８】
他方、ＭＣＥコード受信判断ステップＳ２において受光ＩＣ１２５によりＭＣＥコード
でないものが受信されたと判断された場合には、マイコンコード出力ステップＳ８へと分
岐する。マイコンコード出力ステップＳ８では、受光ＩＣ１２５がマイコン１２３にＳＩ
Ｏ信号でリモコンコードを出力する。次のマイコン：コード変換ステップＳ９では、受信
信号であるリモコンコードをＢＩＯＳへ通知するためのコードへ変換する。
【００２９】
WindowsＭＣＥ起動中判断ステップＳ４でWindowsＭＣＥが起動中でなければドライバ１
２６が無く、ドライバリモコンコード受信ステップＳ５も続くWindowsＭＣＥアプリ起動
ステップＳ６も自ずと実行されずに終了ステップＳ７となるが又、マイコン１２３がWind
owsＭＣＥが起動中でないと判断して、このマイコン：コード変換ステップＳ９へと進む
。即ちWindowsＸＰやLinux由来のOSが起動している場合である。
【００３０】
ＢＩＯＳオリジナルコード出力ステップＳ１０では、マイコン：コード変換ステップＳ
９での変換結果であるＢＩＯＳへのオリジナルコードの出力をマイコン１２３が行う。独
自機能処理ステップＳ１１では、ＭＣＥリモコン相当の機能の他にリモコンボタンに対応
した独自機能処理を行う。その後、終了ステップＳ７へ進む。
【００３１】
コンピュータ１０の動作状態としては、電源ＯＮ／ＯＦＦ、電源ＯＮの場合にWindows
ＭＣＥが起動中か否か、使用リモコンがＭＣＥリモコンか否かで計５通りの状態が想定で
きる。即ち、電源ＯＮでWindowsＭＣＥ起動中でＭＣＥリモコンを使用（第１の状態）、
電源ＯＮでWindowsＭＣＥ起動中ではなくＭＣＥリモコンを使用（第２の状態）、電源Ｏ
ＮでWindowsＭＣＥ起動中でＭＣＥリモコン以外のリモコンを使用（第３の状態）、電源
ＯＮでWindowsＭＣＥ起動中ではなくＭＣＥリモコン以外のリモコンを使用（第４の状態
）、電源ＯＦＦ（第５の状態、主電源が非投入時）の５つの場合である。
【００３２】
電源ＯＮでWindowsＭＣＥ起動中でＭＣＥリモコンを使用（第１の状態）の場合に図４
のフローを図３と対応付けキーとなる動作を説明すると、まずＭＣＥリモコンのボタンを
押すことにより、MCEリモコンコードが送信され受光部１２４にて受信し、受光部１２４
は光信号を電気信号に変えて受光IC１２５へボタンコードを送信する。MCEリモコンコー
ドはUSB通信でSB（SouthBridge）１１９経由でドライバ１２６へ送信される。ドライバ１
２６がリモコンコードを受信し、システムOS１２７へのリモコンコード用の処理を通知す
る。他方で、マイコン１２３は受光IC１２５から３Byteの送信データを受信するが、マイ
コン１２３はMCEリモコンコードでかつWindowsMCEが起動しているか判別し、MCEが起動中
であるので特に処理はしない。
【００３３】
電源ＯＮでWindowsＭＣＥ起動中ではなくＭＣＥリモコンを使用（第２の状態）の場合
には、前述の動作のうちドライバ１２６がなく従ってリモコンコードを受信する処理Ｓ５
と次のＳ６の処理が行われない。他方で、マイコン１２３は受光IC１２５から受信した３
Byteのデータを次のように処理する。
【００３４】
３ByteのデータはＩＤ、実データ、チェックサムであり、うち実データをボタンに応じ
てオリジナル処理を行えるようにコード変換し、次の２種類のコードでBIOSへ通知する。
【００３５】
・HIDコード                         ：human Interface Device（KB、マウス等）
・オリジナルコード             ：独自アプリ用コード
この独自アプリ用コードは、言わばオリジナルコードへ変換したイベントコードであり
、BIOSはこれをシステムＯＳに伝えることにより、リモコンボタンに対応したアプリケー
ション動作が行われる。例えば、↑ボタンを押したときには、キーボードの↑キーを押し
たときの操作と同様の動作となる。
【００３６】
電源ＯＮでＭＣＥリモコン以外のリモコンを使用の場合にはWindowsＭＣＥが起動中か
否かの２通り（第３の状態と第４の状態）のいずれかに関わらず、前述のマイコン、ＳＢ
コード出力ステップＳ３の代わりにマイコンコード出力ステップＳ８の動作が入る。即ち
マイコン１２３のみへリモコンコードが送られる。前述のＴＶ起動ボタン１５Ａに相当す
るリモコンボタンがユーザによって押下された時は、ＴＶ機能を実行するためのＴＶアプ
リケーションプログラムが自動的に起動される。前述の独自機能処理の一例である。
【００３７】
ここで３Byteのデータは例えばＩＤはＭＣＥリモコンでは１６進表示でＣＡＨでＭＣＥ
リモコンでないあるメーカリモコンではＣ０Ｈである。実データはボタンに対応するもの
と次のリモコンの使用を個別に制限するものとがある。チェックサムは前２Byteの和の下
位１Byteと等しくなるようにする。ＩＤがＣ０Ｈで実データが００ＨならばＣ０Ｈである
。
【００３８】
リモコンの使用を個別に制限することもできる。例えばPC起動ボタンの設定がある。マ
イコン１２３はリモコンボタンによるPC起動を許可／禁止できる仕組みを設けている。Ｍ
ＣＥリモコン用、あるメーカリモコン用のフラグをPC起動の許可／禁止に対応してＯＮ／
ＯＦＦする。設定方法は設定用アプリケーションソフトの動作中にユーザ操作で行うこと
ができる。システムＯＳ１２７はアプリケーションソフトからのこの設定情報を受け取り
、BIOS経由１２０でマイコン１２３へ通知しマイコン１２３で言わばソフトウェア処理で
設定される。
【００３９】
禁止されていない複数種類のリモコンはコンピュータ１０の本体受信部を併用できる。
ここで併用とは、複数種類のリモコンが使用許可されていても、１つのリモコンのみを除
いて使用禁止する段取りを経ずに、いずれか１つのリモコンのみを直ちに使用ということ
である。またあるリモコンを上記の許可／禁止する操作も同時に行うことができる。
【００４０】
図４のフローによれば以上の第１〜第４迄の４状態のようにコンピュータ１０の動作状
態とリモコンの種類に依らず、ＢＩＯＳ１２０とドライバ１２６は同時に動作せず、よっ
て処理の競合は起こらないので、１つの受光部１２４のみによって複数種類のリモコンに
対応が可能である。
【００４１】
電源ＯＦＦ（第５の状態）の場合は、図４の処理フローとは異なりＭＣＥリモコンであ
っても、マイコン１２３のみへコードが送られる。マイコン１２３は上記３Byteの送信デ
ータを受信しリモコン種類を判別し、PC起動ボタンであるかCheckをする。PC起動ボタン
であることを認識するとマイコンはPC起動処理を行う。
【００４２】
その他のボタンとして例えば、ＴＶ起動ボタンであることをマイコン１２３が判別する
と、マイコン１２３はＴＶ機能を実行するための特定のシステムＯＳとしてLinux由来のO
Sを起動する。Linux由来のOSは、マイコン１２３からＢＩＯＳへ通知されたコードの処理
としてＴＶアプリケーションプログラムを起動する。
【００４３】
このように複数種類のリモコンに対応する本体受光部１２４及び受光ＩＣ１２５を設け
ることにより、ＭＣＥリモコン専用の外部受光部を必要としないリモコン制御装置が実現
できる。
【００４４】
ＭＣＥリモコンからの制御信号は第１系統の信号処理部で処理され又それ以外のリモコ
ンからの制御信号は第２系統の信号処理部で処理されるのが基本であるが、上述のように
第１系統の信号処理部が機能しない場合は、第２系統の信号処理部でＭＣＥリモコンから
の制御信号も処理される。
【図面の簡単な説明】
【００４５】
【図１】本発明によるリモコン制御装置の実施例１の斜視図。
【図２】リモコン制御装置の実施例１の機能構成図。
【図３】リモコン制御装置の実施例１の機能ブロック図。
【図４】リモコン制御装置の実施例１の処理フロー。
【符号の説明】
【００４６】
１０  コンピュータ
１３  キーボード（ＫＢ）
１７  ＬＣＤ
１１１  ＣＰＵ
１１３  主メモリ
１１４  グラフィクスコントローラ
１１４Ａ  ＶＲＡＭ
１１５  ソフト処理部
１１９  サウスブリッジ
１２０  ＢＩＯＳ
１２１  ハードディスク／光ディスクドライブ（ＨＤＤ／ＤＶＤ）
１２２  キャプチャーユニット
１２３  エンベデッドコントローラ／キーボードコントローラ（ＥＣ／ＫＢＣ）
１２４  受光部
１２５  受光ＩＣ
１２６  ドライバ
１２７  システムＯＳ
Ｓ１  リモコンコード受信ステップ
Ｓ２  ＭＣＥコード受信判断ステップ
Ｓ３  マイコン、ＳＢコード出力ステップ
Ｓ４  WindowsＭＣＥ起動中判断ステップ
Ｓ５  ドライバリモコンコード受信ステップ
Ｓ６  WindowsＭＣＥアプリ起動ステップ
Ｓ７  終了ステップ
Ｓ８  マイコンコード出力ステップ
Ｓ９  マイコン：コード変換ステップ
Ｓ１０  ＢＩＯＳオリジナルコード出力ステップ
Ｓ１１  独自機能処理ステップ
【図１】
2006318131.tif 000003
【図２】
2006318131.tif 000004
【図３】
2006318131.tif 000005
【図４】
2006318131.tif 000006